(57)【要約】【課題】メインマイコンが停止する省電力スタンバイモード時であっても、迅速かつ確実にメインマイコンのプログラムの書き換えを可能にする。【解決手段】メインマイコン１６ａで動作するノーマルスタンバイモードと、メインマイコンへの電源供給を停止して、スタンバイマイコン１６ｂで動作する省電力スタンバイモードとを有し、省電力スタンバイモード時に通信部２１がパソコン６０よりメインマイコン１６ａのプログラムコードの書き換えコマンドを受信した場合、スタンバイマイコン１６ｂは、パソコン６０をレスポンス待機状態にするためのコマンドを送信し、電源部２４にメインマイコン１６ａへの電源供給を開始させ、メインマイコン１６ａはパソコン６０より新たなプログラムコードを受信し、不揮発メモリ１８ａに記憶されたプログラムコードを、受信した新たなプログラムコードで書き換える。【選択図】図２
2010176053.tif 000002
【特許請求の範囲】
【請求項１】
メインマイコンと、スタンバイマイコンと、前記メインマイコンのプログラムコードを記憶する不揮発メモリと、前記メインマイコンおよび前記スタンバイマイコンに電源を供給する電源部と、外部機器と通信する通信部とを備えた投射型映像表示装置であって、
前記メインマイコンで動作する第１のスタンバイモードと、
前記メインマイコンへの電源供給を停止して、前記スタンバイマイコンで動作する第２のスタンバイモードと、
を有し、
前記第２のスタンバイモード時に前記通信部が前記外部機器より前記メインマイコンのプログラムコードの書き換えコマンドを受信した場合、
前記スタンバイマイコンは、
前記外部機器をレスポンス待機状態にするためのコマンドを前記外部機器へ送信し、
前記電源部に前記メインマイコンへの電源供給を開始させ、
前記メインマイコンは前記外部機器より新たなプログラムコードを受信し、
前記不揮発メモリに記憶された前記プログラムコードを前記受信した新たなプログラムコードで書き換えることを特徴とする投射型映像表示装置。
【請求項２】
前記メインマイコンによる前記不揮発メモリの前記プログラムコードの書き換えが終了した場合に、前記スタンバイマイコンは前記電源部に前記メインマイコンへの電源供給を停止させることを特徴とする請求項１に記載の投射型映像表示装置。
【請求項３】
前記通信部はＲＳ２３２Ｃにより前記外部機器と通信することを特徴とする請求項１または請求項２に記載の投射型映像表示装置。
【発明の詳細な説明】
【技術分野】
【０００１】
本発明は、プロジェクタなどの投射型映像表示装置に関し、くわしくは、省電力化に対応したスタンバイモードを備えた投射型映像表示装置に関する。
【背景技術】
【０００２】
ＤＬＰ（Ｄｉｇｉｔａｌ  Ｌｉｇｈｔ  Ｐｒｏｃｅｓｓｉｎｇ）（登録商標）プロジェクタなどの投射型映像表示装置（以下、単に「プロジェクタ」ともいう）は、光源からの光をＤＭＤ（Ｄｉｇｉｔａｌ  Ｍｉｃｒｏｍｉｒｒｏｒ  Ｄｅｖｉｃｅ）などの光学表示素子に照射し、照射された光を映像信号で変調してスクリーンに映像を拡大投射する。高輝度なプロジェクタを実現するためには、光源として水銀ランプ等の高輝度な放電ランプを使用する必要がある。放電ランプを点灯したままプロジェクタを待機状態にすると無駄な電力を消費するとともに、放電ランプおよび周辺の光学部品の寿命にも悪影響を与える。そこで、通常のプロジェクタは、待機中に放電ランプや主要な回路への電源供給を停止し、ユーザーからの操作を受け付ける操作部や外部機器との通信を行う通信回路などの最小限の回路にのみ電源を供給するスタンバイモードを備えている。
【０００３】
またプロジェクタのほとんどの機能はマイクロコンピュータ（以下、「マイコン」と略記する）によって制御されるが、上記スタンバイモードで動作する操作受付機能や通信機能の処理負荷は比較的軽く、このために高機能なマイコンを動作させるのは消費電力の観点から効率的でない。そこで、通常動作時に動作する高機能なメインマイコンとは別に、スタンバイ時に動作する低消費電力のサブマイコン（スタンバイマイコンともいう）を搭載してスタンバイ時の消費電力を低減している（例えば、特許文献１を参照）。
【０００４】
また最近では、プロジェクタの動作状態の監視、エラーログの収集あるいは遠隔操作等の目的でＬＡＮ（Ｌｏｃａｌ  Ａｒｅａ  Ｎｅｔｗｏｒｋ）などのネットワークに対応したプロジェクタも登場してきている。ネットワークの制御はＲＳ２３２Ｃなどのシリアル通信の制御と較べて処理負荷が重くメインマイコンで処理する必要がある。
【０００５】
そこで、メインマイコンを動作させてネットワーク機能に対応したノーマルスタンバイモードと、スタンバイマイコンのみを動作させて、さらに省電力化を図った省電力スタンバイモードの２つのスタンバイモードを備えている場合がある。なお、これらのスタンバイモードは、メニュー等でユーザーにより設定され、スタンバイ時にはこのメニューで設定されたモードのスタンバイ状態になる。
【特許文献１】特開２００６−３０８９３４号公報
【発明の開示】
【発明が解決しようとする課題】
【０００６】
しかしながら、前述したようにメインマイコンに電源が供給されているノーマルスタンバイモードとメインマイコンの電源供給が停止されている省電力スタンバイモードの２種類のスタンバイモードが存在すると次のような課題がある。すなわち、スタンバイ時にサービスマンが外部パソコン等からメインマイコンのプログラムを書き換えたい場合がある。ノーマルスタンバイモードの場合は問題ないが、省電力スタンバイモードの場合にはメインマイコンの電源供給が停止しているためプログラムの書き換えができない。また、スタンバイモードは予めユーザーがメニュー等で設定しており、サービスマンには現在のスタンバイモードが、どちらのモードであるかを外見上判断できない場合がある。
【０００７】
そこで、サービスマンはパソコンを介してスタンバイモードを確認し、もし省電力スタンバイモードであれば、わざわざノーマルスタンバイモードに切り替えてメインマイコンを起動後に、プログラムの書き換えを行なわなければならない。また、スタンバイモードの確認を怠ると、省電力スタンバイモード（メインマイコンが停止）のままでプログラム書き換えコマンドを発行してしまい、不具合が発生する場合があった。このように、迅速な対応が要求されるサービス現場で、スタンバイモードの確認やスタンバイモードの変更に時間がかかりサービスに時間がかかるという問題があった。
【０００８】
本発明は、以上のことに鑑みてなされたものであり、メインマイコンが停止する省電力スタンバイモード時であっても、迅速かつ確実にメインマイコンのプログラムの書き換えを可能にする投射型映像表示装置を提供することを目的とする。
【課題を解決するための手段】
【０００９】
上述した目的を達成するために、本発明の投射型映像表示装置は、メインマイコンと、スタンバイマイコンと、メインマイコンのプログラムコードを記憶する不揮発メモリと、メインマイコンおよびスタンバイマイコンに電源を供給する電源部と、外部機器と通信する通信部とを備えた投射型映像表示装置であって、メインマイコンで動作する第１のスタンバイモードと、メインマイコンへの電源供給を停止して、スタンバイマイコンで動作する第２のスタンバイモードと、を有し、第２のスタンバイモード時に通信部が外部機器よりメインマイコンのプログラムコードの書き換えコマンドを受信した場合、スタンバイマイコンは、外部機器をレスポンス待機状態にするためのコマンドを外部機器へ送信し、電源部にメインマイコンへの電源供給を開始させ、メインマイコンは外部機器より新たなプログラムコードを受信し、不揮発メモリに記憶されたプログラムコードを受信した新たなプログラムコードで書き換えることを特徴とする。
【００１０】
このような構成により、メインマイコンが停止する省電力スタンバイモード時であっても、迅速かつ確実にメインマイコンのプログラムの書き換えを行うことができる。
【００１１】
また本発明の投射型映像表示装置では、メインマイコンによる不揮発メモリのプログラムコードの書き換えが終了した場合に、スタンバイマイコンは電源部にメインマイコンへの電源供給を停止させるのが好ましい。
【００１２】
このような構成により、メインマイコンのプログラムコードの書き換えが終了すると、メインマイコンへの電源供給が停止されるので、無駄な電力が消費されることがない。
【００１３】
また本発明の投射型映像表示装置では、通信部はＲＳ２３２Ｃにより外部機器と通信するようにしてもよい。このような構成により、マイコンの処理負荷の少ないＲＳ２３２Ｃで通信を行うことができるので省電力スタンバイモード時（第２のスタンバイモード時）にメインマイコンを停止することが可能となる。
【発明の効果】
【００１４】
本発明によれば、メインマイコンが停止する省電力スタンバイモード時であっても、迅速かつ確実にメインマイコンのプログラムの書き換えを可能にする投射型映像表示装置を提供することができる。
【発明を実施するための最良の形態】
【００１５】
以下、本発明の実施の形態について図面を参照しながら詳細に説明する。
【００１６】
（実施の形態）
まず、図１と図２を用いて本発明の実施の形態における投射型映像表示装置１の構成を説明する。
【００１７】
図１は、本実施の形態における投射型映像表示装置１（以下、単に「本装置１」ともいう）の設置の一例を示す図である。また、図２は、本装置１の内部構成を示すブロック図である。
【００１８】
本装置１は、例えば建物の天井１ａに設置され、壁面３１に設置されたスクリーン３０に映像を投射する。
【００１９】
本装置１へは、壁面３１に設けた電源スイッチ４０の操作で、電源が供給される。パソコンやＤＶＤプレーヤーの映像出力が壁面に設けた入力端子５０を介して本装置１に入力される。利用者はリモコン２３を操作して本装置１の起動、停止、各種モードの切り替えなどの操作を行う。また、パソコンやＤＶＤプレーヤーからの映像信号は入力端子５０を介さずに無線等で直接、本装置１へ入力してもよい。
【００２０】
図２に示すように、本装置１は、映像入力端子２に入力された映像信号（例えば、ＤＶＤの再生映像）に対して、ＤＭＤ素子５を駆動するための画像処理を施す画像処理部３と、画像処理部３の出力画像信号でＤＭＤ素子５をドライブするためのＤＭＤ駆動部４と、高輝度白色光を発する放電ランプ６と、放電ランプ６からの白色光を３原色（赤、緑、青）に時分割で分光するカラーホイール７と、輝度分布を均一化するためのロッドインテグレータ８と、ミラー９と、投射レンズ１０と、カラーホイール７を回転させるモータ１１と、カラーホイール７の回転を映像信号に同期させるためのモータ駆動部１２と、放電ランプ６に必要な電圧を印加するためのランプ駆動部１４と、放電ランプ６を冷却するための冷却ファン１３と、この冷却ファン１３を駆動するファン駆動部１５と、通常動作時に本装置１を制御するメインマイコン１６ａと、スタンバイ時（省電力スタンバイモード時）に本装置１を制御するスタンバイマイコン１６ｂと、ＲＡＭ１７ａ、１７ｂと、フラッシュメモリ（不揮発メモリ）１８ａ、１８ｂと、操作パネル１９と、リモコン２３からの信号を受信するリモコン受信部２０と、外部のパソコン６０等の外部機器と通信する通信部２１と、本装置１の状態をＬＥＤ等で表示する表示部２２と、商用電源を接続して各部へ電力を供給する電源部２４とを備えている。
【００２１】
放電ランプ６の点灯で発生する高輝度の白色光は、カラーホイール７を透過して３原色に時分割で分光され、ロッドインテグレータ８で輝度分布が均一化されるとともに適正な投射角度でミラー９に照射、屈折されてＤＭＤ素子５に照射される。ＤＭＤ素子５において映像信号で変調された反射光が投射レンズ１０で拡大されてスクリーン（図示しない）に映像として投射される。
【００２２】
本装置１には、通常の動作モード（映像投射モード）以外に２つのスタンバイモード（待機モード）が設定可能である。ひとつは、ノーマルスタンバイモード（第１のスタンバイモード）であり、他方が省電力スタンバイモード（第２のスタンバイモード）である。これらのスタンバイモードでは、最も電力を消費する放電ランプ６や主要な回路への電源供給を停止し、操作パネル１９やリモコン２３により電源がオンされると即座に映像の投射を開始できる状態で待機するモードである。
【００２３】
図３は、本装置１のスタンバイモードの設定画面を示す図である。ユーザーは本装置１に備わるＯＳＤ（Ｏｎ  Ｓｃｒｅｅｎ  Ｄｉｓｐｌａｙ）機能を用いて、スクリーン３０上に２つのモード設定メニュー３０ａ、３０ｂを表示する。モード設定メニュー３０ａとモード設定メニュー３０ｂは、前述したスタンバイモードを設定するメニューであり、それぞれノーマルスタンバイモードと省電力スタンバイ力モードを設定するメニューである。この２つのモード設定メニューの中から１つのモード設定メニューを選択することにより、本装置１のスタンバイ状態での動作が決定される。
【００２４】
ここで、本装置１の２つのスタンバイモードの違いについて簡単に説明する。
【００２５】
ノーマルスタンバイモードは、ユーザーからの操作を受け付ける操作パネル１９、リモコン２３からの信号を受信するリモコン受信部２０、本装置１の状態をユーザーに知らせる表示部２２、外部機器との通信を行う通信部２１およびメインマイコン１６ａとその周辺回路（ＲＡＭ１７ａ、フラッシュメモリ１８ａなど）に電源が供給される。また、通信機能の中のネットワーク機能が動作しており、本装置１の待機中に外部のパソコンやサービスセンターとＬＡＮで接続して、本装置１の動作状態の監視、エラーログの収集あるいは遠隔操作などが行なわれる。
【００２６】
一方、省電力スタンバイモードは、メインマイコン１６ａおよびその周辺回路（ＲＡＭ１７ａ、フラッシュメモリ１８ａ）の電源供給が停止され、その代わりに低消費電力のスタンバイマイコン１６ｂとその周辺回路（ＲＡＭ１７ｂ、フラッシュメモリ１８ｂなど）に電源が供給され、ノーマルスタンバイモードよりもさらに消費電力を下げた待機モードである。ノーマルスタンバイモードと大きく異なる点は、通信機能の中でもマイコンの処理負荷の大きいネットワーク機能を停止させ、処理負荷の小さいＲＳ２３２Ｃ等のシリアル通信機能のみを有効にした点である。サービスマン等はパソコンをＲＳ２３２Ｃで接続して各種情報の収集や設定変更等のサービスを行うことが可能である。
【００２７】
電源部２４には商用電源が接続されており、各種モードに応じて本装置１の各部に必要な電源を供給する。例えば、通常の動作時には、放電ランプ６を含むほぼ全ブロックに電源を供給するが、スタンバイ時には、操作パネル１９、リモコン受信部２０、通信部２１、表示部２２、およびマイコンおよびその周辺回路にのみ電源を供給する。
【００２８】
メインマイコン１６ａは、通常動作時にランプ駆動部１４を駆動して放電ランプ６の点灯の制御、温度センサー（図示せず）の検出温度に応じて冷却ファンのＯＮ／ＯＦＦや回転数の制御のほか、通常動作に関するほぼあらゆる制御を行う。メインマイコン１６ａの動作プログラムおよびデータはフラッシュメモリ１８ａに格納されており、メインマイコン１６ａの起動時にフラッシュメモリ１８ａから読み出してＲＡＭ１７ａ上に展開する。その後、ＲＡＭ１７ａ上で展開されたプログラムコードにしたがってメインマイコンの処理が実行される。また、上記ノーマルスタンバイ時にも必要な処理がメインマイコン１６ａにより行われる。
【００２９】
スタンバイマイコン１６ｂは、省電力スタンバイ時に操作パネル１９、リモコン受信部２０、通信部２１からの操作コマンドを受信して必要な制御を行う。また、本装置１の状態を表示部２２に表示する。スタンバイマイコン１６ｂの動作プログラムおよびデータはフラッシュメモリ１８ｂに格納されており、スタンバイマイコン１６ｂの起動時（例えば、主電源オン時）にフラッシュメモリ１８ｂから読み出してＲＡＭ１７ｂ上に展開する。その後、ＲＡＭ１７ｂ上で展開されたプログラムコードにしたがってスタンバイマイコンの処理が実行される。
【００３０】
操作パネル１９は、ユーザーが直接操作キーを操作して本装置１に指示を与える。ユーザーからの操作を受け付けてメインマイコン１６ａまたはスタンバイマイコン１６ｂへその操作内容を送信する。
【００３１】
リモコン受信部２０は、リモコン２３からの操作指示を受信して、メインマイコン１６ａまたはスタンバイマイコン１６ｂへその指示内容を送信する。リモコンの方式としては、赤外線を使う光方式や電波を使う無線ＬＡＮ方式等がある。
【００３２】
操作パネル１９およびリモコン２３からの操作としては、電源のオン／オフ、各種メニュー操作、入力ソースの切り替えなどである。スタンバイモードの設定も、ユーザーが操作パネル１９またはリモコン２３を操作して、スクリーン３０にメニューを表示して行う。設定された情報はメインマイコン１６ａおよびスタンバイマイコン１６ｂに送信される。それぞれのマイコンはこの指示を受信して関連ブロックを制御する。
【００３３】
通信部２１は、外部との通信を行うＲＳ２３２ｃなどのシリアルインタフェースやイーサネット（登録商標）などのネットワークインタフェースである。サービス時には、サービスマンがサービス用のパソコン（以下、「ＰＣ」ともいう）６０のＲＳ２３２Ｃ接続端子６１を介して、本装置１と接続し、サービス作業を行う。また、ＬＡＮなどに接続して本装置１の動作状態の監視、エラーログの収集あるいは遠隔操作等を行う。
【００３４】
表示部２２は、ＬＥＤなどの表示素子からなり、本装置１の状態をユーザーに知らせる。
【００３５】
次に、図４を用いてメインマイコン１６ａのプログラムコード（以下、単に「プログラム」ともいう）を書き換える処理について説明する。図４は、本実施の形態における投射型映像表示装置１のメインマイコン１６ａのプログラム書き換え動作のフローチャートである。サービスマンはリモコン２３または操作パネル１９を操作して電源をオフして本装置１をスタンバイ状態にする。その後、サービス用のＰＣ６０を本装置１に通信部（ＲＳ２３２Ｃ）２１を介して接続する。この状態で、サービスがスタートする。
【００３６】
まず、スタンバイマイコン１６ｂは、ＰＣ６０からのコマンドを受信するまで待機する（ステップＳ１）。スタンバイマイコン１６ｂがコマンドを受信すると（Ｙ）、そのコマンドがメインマイコン１６ａのプログラム書き換えコマンドか否かを判定する（ステップＳ２）。受信したコマンドがメインマイコン１６ａのプログラム書き換えコマンドでない場合（Ｎ）、スタンバイマイコン１６ｂは通常のコマンド処理を実行して（ステップＳ３）終了する。一方、受信したコマンドがメインマイコン１６ａのプログラム書き換えコマンドである場合（Ｙ）、次にステップＳ４において現在のスタンバイモードがノーマルスタンバイモードか、省電力スタンバイモードかを判定し、ノーマルスタンバイモードと判定された場合には、メインマイコン１６ａは起動中であるのでＰＣ６０から新たな書き換えプログラム（コードおよび必要なデータ）を受信し（ステップＳ５）、メインマイコン１６ａに接続されたフラッシュメモリ１７ａの旧プログラムを、受信した新たなプログラムで書き換えて（ステップＳ６）、動作を終了する。
【００３７】
一方、ステップＳ４において、スタンバイモードが省電力スタンバイモードと判定された場合には、ステップＳ７に進み、ＰＣ６０にレスポンス待機コマンドを送信して、ＰＣ６０を待機させた状態でメインマイコン１６ａを起動する（ステップＳ８）。すなわち、スタンバイマイコン１６ｂが電源部２４に指示を出してメインマイコン１６ａ、フラッシュメモリ１８ａおよびＲＡＭ１７ａに電源供給を開始させる。その後、メインマイコン１６ａはＰＣ６０に待機状態を解除して書き換えプログラムを送信するように要求し、ＰＣ６０から書き換えプログラムを受信し（ステップＳ９）、フラッシュメモリ１７ａに記憶されている旧プログラムを、受信した新たな書き換えプログラムで書き換える（ステップＳ１０）。メインマイコン１６ａのプログラムの書き換えが終了すると、メインマイコン１６ａを停止させる。すなわち、スタンバイマイコン１６ｂが電源部２４に指示を出してメインマイコン１６ａ、フラッシュメモリ１８ａおよびＲＡＭ１７ａへの電源供給を停止させる。
【００３８】
以上説明したように、本実施の形態における投射型映像表示装置１によれば、メインマイコン１６ａの電源供給が停止している省電力スタンバイモードの場合であっても、サービスマンはわざわざノーマルスタンバイモードに設定変更することなく、外部のＰＣ６０からメインマイコン１６ａのプログラムを書き換えることができる。また、省電力スタンバイモードであることに気づかず強制的にメインマイコン１６ａのプログラムを強制的に書き換えようとしてトラブルになることもない。したがって、スピードが要求されるサービス現場において迅速かつ確実なサービスが可能となる。
【産業上の利用可能性】
【００３９】
本発明は、プロジェクタ等の投射型映像表示装置のみでなく、メインマイコンとは別に低消費電力のスタンバイマイコンを使用する省電力のスタンバイモードを備えた一般機器にも幅広く利用が可能である。
【図面の簡単な説明】
【００４０】
【図１】本発明の実施の形態における投射型映像表示装置の設置の一例を示す図
【図２】同投射型映像表示装置の内部構成を示すブロック図
【図３】同投射型映像表示装置のスタンバイモードの設定画面を示す図
【図４】同投射型映像表示装置のメインマイコンのプログラム書き換え動作のフローチャート
【符号の説明】
【００４１】
１    投射型映像表示装置（プロジェクタ、本装置）
１ａ    天井
２    映像入力端子
３    画像処理部
４    ＤＭＤ駆動部
５    ＤＭＤ素子
６    放電ランプ
７    カラーホイール
８    ロッドインテグレータ
９    ミラー
１０    投射レンズ
１１    モータ
１２    モータ駆動部
１３    冷却ファン
１４    ランプ駆動部
１５    ファン駆動部
１６ａ    メインマイコン
１６ｂ    スタンバイマイコン
１７ａ，１７ｂ    ＲＡＭ
１８ａ，１８ｂ    フラッシュメモリ（不揮発メモリ）
１９    操作パネル
２０    リモコン受信部
２１    通信部
２２    表示部
２３    リモコン
２４    電源部
３０    スクリーン
３０ａ，３０ｂ    モード設定メニュー
３１    壁面
４０    電源スイッチ
５０    入力端子
６０    パソコン（ＰＣ）
６１    ＲＳ２３２Ｃ接続端子
【図１】
2010176053.tif 000003
【図２】
2010176053.tif 000004
【図３】
2010176053.tif 000005
【図４】
2010176053.tif 000006